(57)【要約】【課題】平面ディスプレイ用のバックライト・モジュールを提供する。【解決手段】本発明は平面ディスプレイ用のバックライト・モジュールに関するもので、以下のものを包括する。少なくとも一つのスロットを有する導光板、スロットに設置される柱状オプティカル・エレメント、この柱状オプティカル・エレメントは少なくとも全反射面、底面、第一側面を有し、且つ全反射面と第一側面はスロットの溝壁に対応(adjacent)し、底面は全反射面と連接している。及び、柱状オプティカル・エレメント底面に位置する複数個の光源、且つ柱状オプティカル・エレメントの調整可能な変数、例えば曲率、形状、厚み、位置、材質等の調整により、適当な変更と最適化ができ、バックライト・モジュールに最良の出光効果を達成させる。【選択図】図９
2007184217.tif 000002
【特許請求の範囲】
【請求項１】
導光板、柱状オプティカル・エレメント及び光源を包含し、
導光板は少なくとも一つのスロットを有し、少なくとも一つの柱状オプティカル・エレメントがスロットに設置され、その柱状オプティカル・エレメントは、少なくとも全反射面と、その全反射面に連接する第一側面と、その第一側面に連接する底面を有し、且つその全反射面とその第一側面は、そのスロットの溝壁に対応(adjacent)し、光源はその底面に位置することを特徴とする平面ディスプレイ用のバックライト・モジュール。
【請求項２】
請求項１記載の平面ディスプレイ用のバックライト・モジュールにおいて、当該全反射面を曲面とすることを特徴とする平面ディスプレイ用のバックライト・モジュール。
【請求項３】
請求項１記載の平面ディスプレイ用のバックライト・モジュールにおいて、当該柱状オプティカル・エレメントはさらに、その全反射面とその底面にそれぞれ連接する第二側面を包括することを特徴とする平面ディスプレイ用のバックライト・モジュール。
【請求項４】
請求項３記載の平面ディスプレイ用のバックライト・モジュールにおいて、当該第二側面を平面とすることを特徴とする平面ディスプレイ用のバックライト・モジュール。
【請求項５】
請求項４記載の平面ディスプレイ用のバックライト・モジュールにおいて、当該第二側面はその第一側面と平行であることを特徴とする平面ディスプレイ用のバックライト・モジュール。
【請求項６】
請求項３記載の平面ディスプレイ用のバックライト・モジュールにおいて、当該柱状オプティカル・エレメントの当該第二側面を曲面とすることを特徴とする平面ディスプレイ用のバックライト・モジュール。
【請求項７】
請求項６記載の平面ディスプレイ用のバックライト・モジュールにおいて、当該曲面を四分の一円曲面とすることを特徴とする平面ディスプレイ用のバックライト・モジュール。
【請求項８】
請求項２記載の平面ディスプレイ用のバックライト・モジュールにおいて、当該スロットが曲面を有することを特徴とする平面ディスプレイ用のバックライト・モジュール。
【請求項９】
請求項８記載の平面ディスプレイ用のバックライト・モジュールにおいて、当該曲面の曲率半径がその全反射面の曲率半径より大きいことを特徴とする平面ディスプレイ用のバックライト・モジュール。
【請求項１０】
請求項１記載の平面ディスプレイ用のバックライト・モジュールにおいて、当該柱状オプティカル・エレメントの材料はその導光板の材料と同じであることを特徴とする平面ディスプレイ用のバックライト・モジュール。
【請求項１１】
請求項１記載の平面ディスプレイ用のバックライト・モジュールにおいて、当該柱状オプティカル・エレメントの材料をアクリル樹脂(acrylic resin)或いはポリカーボネート樹脂(poly carbonate resin)とすることを特徴とする平面ディスプレイ用のバックライト・モジュール。
【請求項１２】
請求項１記載の平面ディスプレイ用のバックライト・モジュールにおいて、当該光源を発光ダイオード(LED)或いはレーザーダイオード(LD)とすることを特徴とする平面ディスプレイ用のバックライト・モジュール。
【請求項１３】
導光板、柱状オプティカル・エレメント及び複数個光源を包含し、
導光板は一つの側辺を有し、当該側辺に隣接する柱状オプティカル・エレメントは少なくとも全反射面、その全反射面に連接する第一側面、その第一側面に連接する底面を有し、且つその第一側面はその導光板に隣接し、光源はその柱状オプティカル・エレメントの底面に位置することを特徴とする平面ディスプレイ用のバックライト・モジュール。
【請求項１４】
請求項１３記載の平面ディスプレイ用のバックライト・モジュールにおいて、当該全反射面を曲面とすることを特徴とする平面ディスプレイ用のバックライト・モジュール。
【請求項１５】
請求項１３記載の平面ディスプレイ用のバックライト・モジュールにおいて、当該柱状オプティカル・エレメントはさらに、その全反射面とその第一底面にそれぞれ連接する第二側面を包括することを特徴とする平面ディスプレイ用のバックライト・モジュール。
【請求項１６】
請求項１５記載の平面ディスプレイ用のバックライト・モジュールにおいて、当該第二側面を平面とすることを特徴とする平面ディスプレイ用のバックライト・モジュール。
【請求項１７】
請求項１６記載の平面ディスプレイ用のバックライト・モジュールにおいて、その中でその第二側面はその第一側面と平行であることを特徴とする平面ディスプレイ用のバックライト・モジュール。
【請求項１８】
請求項１５記載の平面ディスプレイ用のバックライト・モジュールにおいて、当該柱状オプティカル・エレメントのその第二側面を曲面とすることを特徴とする平面ディスプレイ用のバックライト・モジュール。
【請求項１９】
請求項１８記載の平面ディスプレイ用のバックライト・モジュールにおいて、当該曲面を四分の一円曲面とすることを特徴とする平面ディスプレイ用のバックライト・モジュール。
【請求項２０】
請求項１３記載の平面ディスプレイ用のバックライト・モジュールにおいて、当該柱状オプティカル・エレメントの材料をアクリル樹脂(acrylic resin)或いはポリカーボネート樹脂(poly carbonate resin)とすることを特徴とする平面ディスプレイ用のバックライト・モジュール。
【発明の詳細な説明】
【技術分野】
【０００１】
本発明は、バックライト・モジュールに関するもので、特に平面ディスプレイに適用するバックライト・モジュールを指す。
【背景技術】
【０００２】
本体が発光しない平面ディスプレイの一部では、外部光源により充分な光源を提供して表示に用いる必要があり、一般に多くは光学モジュールと結合して使用する。例えば、液晶ディスプレイでは、多くが光源を含むバックライト・モジュールを使用し、均一なパネル光源を提供して表示に用いる。また、一般に液晶表示パネルと結合使用するバックライト・モジュールは、多くが光源と導光板を含むものを結合する。
【０００３】
現在、バックライト・モジュールに使用する光源は、多くが冷陰極管ランプ(Cold Cathode Fluorescent Lamp; CCFL)或いは発光ダイオード(Light Emitting Diode; LED)である。冷陰極管ランプはその使用寿命が短く、消費電力量が大きく、且つライト中に含まれる水銀金属が環境汚染を起こしやすいため、その応用範囲は制限を受けている。そして発光ダイオードは高効率の主動発光源として、消費パワーが低い、高輝度出力、体積が小さいという長所を有するため、一種優れた光源となっている。
【０００４】
一般にLEDバックライト・モジュール10は、図１に示すように、LED光源12を導光板14の一側辺に貼り付け、光線を直接、導光板14の側辺から導入させる。LED光源12は、特殊設計を経ずに、光源を直接導光板14の側辺へ導入するため、光源12が導光板14へ進入する界面部或いは界面付近に、解決できない輝線幅が一部分出現しやすくなる。このほか、一般の導光板の構造パラメーターは、単一サイズのパネルに対してのみ設計されており、異なるサイズの導光板は、異なる構造パラメーターで設計しなければならない。そのため、液晶パネルのサイズを一つ増加する毎に、導光板を再設計する必要があり、そうなると時間だけでなく労力も費やすことになる。
【０００５】
そこで、現在均一な導光ができ、且つパネルサイズの制限を受けない導光板構造により、各種異なるサイズの液晶ディスプレイのニーズを満足させる必要がある。
【発明の開示】
【発明が解決しようとする課題】
【０００６】
本発明は、バックライト・モジュールの導光板構造の設計に対し、光源が発する光を導光板中に、より均一に導入させる。且つ、バックライト・モジュールの縦軸と横軸に『延伸能力』を持たせ、即ち、各サイズの平面ディスプレイに応用することができるように、同じバックライト・モジュール設計を採用する。
【０００７】
本発明が提供する平面ディスプレイのバックライト・モジュールは、以下のものを包括する。一側辺を有する導光板、導光板の側辺に隣接する柱状オプティカル・エレメント、この柱状オプティカル・エレメントは少なくとも全反射面、全反射面に連接する第一側面、第一側面に連接する底面を有し、且つこの第一側面は導光板に隣接している。また柱状オプティカル・エレメント底面に位置する複数個の光源。これにより、光源が発する光は均一に導光板中に導入される。
【０００８】
このほか、本発明が提供する別のバックライト・モジュールは、以下のものを包括する。少なくとも一つのスロットを有する導光板、導光板のスロットに設置される少なくとも一つの柱状オプティカル・エレメント、この柱状オプティカル・エレメントは少なくとも全反射面、この全反射面に連接する第一側面、この第一側面に連接する底面を有し、且つ全反射面と第一側面は、導光板のスロットの溝壁に対応(adjacent)している。及び、柱状オプティカル・エレメント底面に位置する複数個の光源。
【０００９】
この構造により、本発明が提供するバックライト・モジュールのサイズを一つ或いは複数個のブロックとして見れば、縦軸と横軸への延伸動作が行われようが、バックライト・モジュールの光学特性に影響を与えない。
【００１０】
このほか、柱状オプティカル・エレメントの調整可能な変数は非常に多種で、例えば曲率、形状、厚み、位置、或いは材質等があり、上記の変数に対する適当な変更と最適化により、バックライト・モジュールに最良の出光効果を得させることができる。
【００１１】
このため、本発明に記述するバックライト・モジュール中、柱状オプティカル・エレメントの全反射面は任意の形状とすることができる。好ましいものは曲面であり、光源が発する光をより均一に導光板中に導入できる。一方、導光板のスロットもまた、任意の形状とすることができる。好ましいものは曲面であり、さらに良いものはスロットの曲率半径が全反射面の曲率半径より大きく、導光板に輝線が出現するのを減らす。
【００１２】
本発明に記述するバックライト・モジュール中の柱状オプティカル・エレメントの材料と導光板の材料は同じでもよいし、異なっていてもかまわない。好ましいのは柱状オプティカル・エレメントと導光板の材料が同じ場合である。柱状オプティカル・エレメントの材料は任意の透光材料を使用できる。好ましいものはアクリル樹脂(acrylic resin)或いはポリカーボネート樹脂(poly carbonate resin)とする。
【００１３】
このほかに、本発明に記述するバックライト・モジュール中、柱状オプティカル・エレメントが選択的に全反射面と底面に別々に連接する第二側面を包括し、光源が提供する光線は柱状オプティカル・エレメント内で振動することを減少する。この第二側面の形状に制限はない。好ましい形状は平面であり、さらに良いものはこの第二側面が第一側面と平行である。この第二側面の別の好ましい形状は曲面で、さらに良いものは四分の一円曲面である。
【００１４】
しかも、本発明に記述するバックライト・モジュール中の光源の種類に制限はなく、好ましいものは発光ダイオード(LED)或いはレーザーダイオード(LD)である。光源の色にも制限はなく、光源を単色光源、或いは、異なる単色光源による混色光とすることができ、どちらも良好な出光効果が得られる。そのため、本発明は多数の光源を配列し組み合わせて、一つの平面光源を形成することができ、さらに赤色、緑色、青色或いは他の色の光源を組み合わせて、カラーの平面光源、或いは白色の平面光源を形成して、平面ディスプレイのバックライトとして使用することができる。
【課題を解決するための手段】
【００１５】
請求項１の発明は、導光板、柱状オプティカル・エレメント及び光源を包含し、
導光板は少なくとも一つのスロットを有し、少なくとも一つの柱状オプティカル・エレメントがスロットに設置され、その柱状オプティカル・エレメントは、少なくとも全反射面と、その全反射面に連接する第一側面と、その第一側面に連接する底面を有し、且つその全反射面とその第一側面は、そのスロットの溝壁に対応(adjacent)し、光源はその底面に位置することを特徴とする平面ディスプレイ用のバックライト・モジュールとしている。
請求項２の発明は、請求項１記載の平面ディスプレイ用のバックライト・モジュールにおいて、当該全反射面を曲面とすることを特徴とする平面ディスプレイ用のバックライト・モジュールとしている。
請求項３の発明は、請求項１記載の平面ディスプレイ用のバックライト・モジュールにおいて、当該柱状オプティカル・エレメントはさらに、その全反射面とその底面にそれぞれ連接する第二側面一つを包括することを特徴とする平面ディスプレイ用のバックライト・モジュールとしている。
請求項４の発明は、請求項３記載の平面ディスプレイ用のバックライト・モジュールにおいて、当該第二側面を平面とすることを特徴とする平面ディスプレイ用のバックライト・モジュールとしている。
請求項５の発明は、請求項４記載の平面ディスプレイ用のバックライト・モジュールにおいて、当該第二側面はその第一側面と平行であることを特徴とする平面ディスプレイ用のバックライト・モジュールとしている。
請求項６の発明は、請求項３記載の平面ディスプレイ用のバックライト・モジュールにおいて、当該柱状オプティカル・エレメントの当該第二側面を曲面とすることを特徴とする平面ディスプレイ用のバックライト・モジュールとしている。
請求項７の発明は、請求項６記載の平面ディスプレイ用のバックライト・モジュールにおいて、当該曲面を四分の一円曲面とすることを特徴とする平面ディスプレイ用のバックライト・モジュールとしている。
請求項８の発明は、請求項２記載の平面ディスプレイ用のバックライト・モジュールにおいて、当該スロットが曲面を有することを特徴とする平面ディスプレイ用のバックライト・モジュールとしている。
請求項９の発明は、請求項８記載の平面ディスプレイ用のバックライト・モジュールにおいて、当該曲面の曲率半径がその全反射面の曲率半径より大きいことを特徴とする平面ディスプレイ用のバックライト・モジュールとしている。
請求項１０の発明は、請求項１記載の平面ディスプレイ用のバックライト・モジュールにおいて、当該柱状オプティカル・エレメントの材料はその導光板の材料と同じであることを特徴とする平面ディスプレイ用のバックライト・モジュールとしている。
請求項１１の発明は、請求項１記載の平面ディスプレイ用のバックライト・モジュールにおいて、当該柱状オプティカル・エレメントの材料をアクリル樹脂(acrylic resin)或いはポリカーボネート樹脂(poly carbonate resin)とすることを特徴とする平面ディスプレイ用のバックライト・モジュールとしている。
請求項１２の発明は、請求項１記載の平面ディスプレイ用のバックライト・モジュールにおいて、当該光源を発光ダイオード(LED)或いはレーザーダイオード(LD)とすることを特徴とする平面ディスプレイ用のバックライト・モジュールとしている。
【００１６】
請求項１３の発明は  導光板、柱状オプティカル・エレメント及び複数個光源を包含し、
導光板は一つの側辺を有し、当該側辺に隣接する柱状オプティカル・エレメントは少なくとも全反射面、その全反射面に連接する第一側面、その第一側面に連接する底面を有し、且つその第一側面はその導光板に隣接し、光源はその柱状オプティカル・エレメントの底面に位置することを特徴とする平面ディスプレイ用のバックライト・モジュールとしている。
請求項１４の発明は、請求項１３記載の平面ディスプレイ用のバックライト・モジュールにおいて、当該全反射面を曲面とすることを特徴とする平面ディスプレイ用のバックライト・モジュールとしている。
請求項１５の発明は、請求項１３記載の平面ディスプレイ用のバックライト・モジュールにおいて、当該柱状オプティカル・エレメントはさらに、その全反射面とその第一底面にそれぞれ連接する第二側面を包括することを特徴とする平面ディスプレイ用のバックライト・モジュールとしている。
請求項１６の発明は、請求項１５記載の平面ディスプレイ用のバックライト・モジュールにおいて、当該第二側面を平面とすることを特徴とする平面ディスプレイ用のバックライト・モジュールとしている。
請求項１７の発明は、請求項１６記載の平面ディスプレイ用のバックライト・モジュールにおいて、その中でその第二側面はその第一側面と平行であることを特徴とする平面ディスプレイ用のバックライト・モジュールとしている。
請求項１８の発明は、請求項１５記載の平面ディスプレイ用のバックライト・モジュールにおいて、当該柱状オプティカル・エレメントのその第二側面を曲面とすることを特徴とする平面ディスプレイ用のバックライト・モジュールとしている。
請求項１９の発明は、請求項１８記載の平面ディスプレイ用のバックライト・モジュールにおいて、当該曲面を四分の一円曲面とすることを特徴とする平面ディスプレイ用のバックライト・モジュールとしている。
請求項２０の発明は、請求項１３記載の平面ディスプレイ用のバックライト・モジュールにおいて、当該柱状オプティカル・エレメントの材料をアクリル樹脂(acrylic resin)或いはポリカーボネート樹脂(poly carbonate resin)とすることを特徴とする平面ディスプレイ用のバックライト・モジュールとしている。
【発明の効果】
【００１７】
本発明のバックライト・モジュールも縦軸と横軸の『延伸能力』を有し、バックライト・モジュールの光学特性に影響せず、即ち同じバックライト・モジュールを採用した設計は各サイズのディスプレイに応用できることを表している。このほか、柱状オプティカル・エレメントの調整可能な変数が非常に多種で、例えば曲率、形状、厚み、位置或いは材質等の変数に対し、適当な変更と最適化を行うことで、バックライト・モジュールは最良の出光効果を得ることができる。
【発明を実施するための最良の形態】
【００１８】
[実施例一]
図３は、本発明 のバックライト・モジュールの好ましい実施例の立体図である。図３中、導光板22は角型ボードとし、導光板22の一側は柱状オプティカル・エレメント24一つに隣接し、この柱状オプティカル・エレメント24の底面241には複数個の発光ダイオード26が設置されている。これにより、発光ダイオード26が発する光は柱状オプティカル・エレメント24を経て導光板22中に導入することができる。
【００１９】
図４は、図３の柱状オプティカル・エレメント24の断面図である。図４に示すように、柱状オプティカル・エレメント24は全反射面242一つ、底面241一つ、第一側面243一つと第二側面244一つを包括する。柱状オプティカル・エレメント24の第一側面243は導光板22の側に接続され、全反射面242と底面241はそれぞれ第一側面243の両端に連接され、第二側面244は第一側面243と平行で、且つ、全反射面242と底面241に連接している。このため、発光ダイオード26が発する光は、まず柱状オプティカル・エレメント24中で混合され、さらに第一側面243より導光板22中に進入し、発光ダイオード26が発する光を導光板22中に均一に導入させる。
【００２０】
同時に図３と図４を参照のこと。本実施例中、導光板22の導光板サイズを190mmｘ160mmｘ5mmとし、21個の発光ダイオード26を光源として採用し、190mm長の軸上に平均に配列する。柱状オプティカル・エレメント24の設計は、第一側面243を導光板22に接続する面とし、その高さ(D)を4.666mmとする。全反射面242は円曲面とし、その曲率半径(R)を10mmとする。第二側面244は第一側面243と平行で、その高さ(L)を2.666mmとする。発光ダイオード26のサイズ(y)を2mmとし、それは単色光源或いはRGB三色光源とすることができる。このほか、本実施例中、導光板22の底面221が選択的にドットパターン或いは反射層を設置でき、導光板22に導入する光線をより均一にさせ、且つ導入する光線のより有効的利用を達成する。柱状オプティカル・エレメント24が発光ダイオード26を設置していない部分の底面241には、また反射層を設置することができ、発光ダイオード26の光線のより有効的利用を達成する。
【００２１】
次にTracePro光学ソフトウェアを利用して、本実施例のバックライト・モジュールの出光状況をシミュレーションする。図５は本実施例(ドットパターン未設置)のシミュレーション結果で、図２は柱状オプティカル・エレメントを付けずに、直接発光ダイオードを導光板(ドットパターン未設置)に貼り付けたシミュレーション結果である。図２と図５を比較すると、本実施例のバックライト・モジュールは光線の均一度が大幅にアップしているだけでなく、輝線の状況も明らかに除去されている。
【００２２】
[実施例二]
図６は本発明のバックライト・モジュールの別の好ましい実施例の立体図である。本実施例では、柱状オプティカル・エレメント24の構造が実施例一のものと異なる以外、その他は全て実施例一と同じである。
【００２３】
図７は図６の柱状オプティカル・エレメント24の断面図である。図７中、柱状オプティカル・エレメント24は全反射面242一つ、底面241一つ、第一側面243一つ、第二側面244一つを包括する。柱状オプティカル・エレメント24の第一側面243は導光板22の面に接続され、その高さ(D)を4.666mmとする。全反射面242は第一側面243に連接され、その曲率半径(R)を10mmとする。第二側面244は全反射面242と連接し、且つこの第二側面244を四分の一円曲面とし、その曲率半径(r)を3mmとする。底面241は第二側面244に連接し、発光ダイオード26(2mm)に設置するには、その幅は少なくとも2mm必要である。このほか、本実施例中、柱状オプティカル・エレメント24は、まだ第三側面245一つを包括し、第一側面243と底面241を連接する。
【００２４】
TracePro光学ソフトウェアを利用して、本実施例のバックライト・モジュール(ドットパターン設置)の出光状況をシミュレーションする。図８は本実施例のシミュレーション結果で、その結果も均一な出光状況が表示されている。
【００２５】
[実施例三]
図９は、本発明 のバックライト・モジュールのまた別の好ましい実施例の断面図である。本実施例では実施例一のバックライト・モジュールを一つのブロックとみなし、縦軸と横軸をそれぞれ二倍に延伸する。そのため、本実施例の導光板52の長さと幅は、共に実施例一の導光板22の二倍である。
【００２６】
本実施例では二つの柱状オプティカル・エレメント54、56を包括し、そのうち一つの柱状オプティカル・エレメント54は導光板52の一側と隣接し、もう一つの柱状オプティカル・エレメント56は導光板52のスロット62中に設置される。この二つの柱状オプティカル・エレメント54、56の構造は、長さが元の二倍になった以外、その他は実施例一の柱状オプティカル・エレメント24と全く同じである。
【００２７】
図１０は図９の局部拡大図である。図１０中、柱状オプティカル・エレメント56は導光板52のスロット62中に設置され、そのため、その全反射面562、第一側面563、及び第二側面564は、スロット62の槽壁に対応(adjacent)している。発光ダイオード26は、柱状オプティカル・エレメント56の底面561に設置されている。このほか、スロット62は曲率半径(R′)を135mmとする曲面621を一つ有し、導光板に輝線や暗線が出現するのを減少させる。且つ、本実施例中、導光板52の底面にはドットパターン72を設置し、また柱状オプティカル・エレメント56の底面には反射層74を設置して、さらに良い均一な出光状況を達成する。
【００２８】
次にTracePro光学ソフトウェアを利用して、本実施例のバックライト・モジュールの出光状況をシミュレーションする。図１１は本実施例のシミュレーション結果で、その結果も均一な出光状況を表わしている。
【００２９】
即ち、本実施例のバックライト・モジュールが縦軸と横軸の『延伸能力』を有し、バックライト・モジュールの光学特性に影響せず、同じバックライト・モジュールを採用した設計は各サイズのディスプレイに応用できることを表している。
【００３０】
[実施例四]
図１２は、本発明のバックライト・モジュールのまた別の好ましい実施例の断面図である。本実施例は実施例二のバックライト・モジュールを一つのブロックとみなし、縦軸方向へ二倍に延伸したものである。
【００３１】
本実施例は二つの柱状オプティカル・エレメント54、56を包括し、そのうち一つの柱状オプティカル・エレメント54は導光板52の一側と隣接し、もう一つの柱状オプティカル・エレメント56は導光板52のスロット62中に設置されている。この二つの柱状オプティカル・エレメント54、56の構造は、長さが元の二倍になった以外、その他は実施例二の柱状オプティカル・エレメント24と全く同じである。
【００３２】
図１３は、図１２の局部拡大図である。図１３中、柱状オプティカル・エレメント56は導光板52のスロット62中に設置され、そのため、その全反射面562と第一側面563はスロット62の槽壁に対応(adjacent)している。発光ダイオード26は、柱状オプティカル・エレメント56の底面561に設置されている。このほか、スロット62は曲率半径(R′)を135mmとする曲面621一つを有し、導光板に輝線や暗線が出現するのを減少させる。本実施例中、導光板52の底面にはドットパターン72を設置し、柱状オプティカル・エレメント56の底面には反射層74を設置して、さらに良い均一な出光状況を達成する。
【００３３】
次にTracePro光学ソフトウェアを利用して、本実施例のバックライト・モジュールの出光状況をシミュレーションする。図１４は本実施例のシミュレーション結果で、その結果にも均一な出光状況が表われている。
【００３４】
本実施例のバックライト・モジュールも縦軸と横軸の『延伸能力』を有し、バックライト・モジュールの光学特性に影響せず、即ち同じバックライト・モジュールを採用した設計は各サイズのディスプレイに応用できることを表している。このほか、柱状オプティカル・エレメントの調整可能な変数が非常に多種で、例えば曲率、形状、厚み、位置或いは材質等の変数に対し、適当な変更と最適化を行うことで、バックライト・モジュールは最良の出光効果を得ることができる。
【図面の簡単な説明】
【００３５】
【図１】周知のLEDバックライト・モジュールの立体図である。
【図２】周知のLEDバックライト・モジュールのシミュレーション結果である。
【図３】本発明の実施例一のバックライト・モジュールの立体図である。
【図４】本発明の実施例一のバックライト・モジュールの側面図である。
【図５】本発明の実施例一のシミュレーション結果である。
【図６】本発明の実施例二のバックライト・モジュールの立体図である。
【図７】本発明の実施例二のバックライト・モジュールの側面図である。
【図８】本発明の実施例二のシミュレーション結果である。
【図９】本発明の実施例三のバックライト・モジュールの側面図である。
【図１０】本発明の実施例三の局部拡大図である。
【図１１】本発明の実施例三のシミュレーション結果である。
【図１２】本発明の実施例四のバックライト・モジュールの側面図である。
【図１３】本発明の実施例四の局部拡大図である。
【図１４】本発明の実施例四のシミュレーション結果である。
【符号の説明】
【００３６】
10    LEDバックライト・モジュール    12    LED光源
14、22、52    導光板                 24、54、56    柱状オプティカル・エレメント
26    発光ダイオード                 62    スロット
72    ドットパターン                 74    反射層
241、561    底面                     242、562    全反射面
243、563    第一側面                 244、564    第二側面
245    第三側面                      621    曲面
221    導光板底面
【図１】
2007184217.tif 000003
【図３】
2007184217.tif 000004
【図４】
2007184217.tif 000005
【図６】
2007184217.tif 000006
【図７】
2007184217.tif 000007
【図９】
2007184217.tif 000008
【図１０】
2007184217.tif 000009
【図１２】
2007184217.tif 000010
【図１３】
2007184217.tif 000011
【図２】
2007184217.tif 000012
【図５】
2007184217.tif 000013
【図８】
2007184217.tif 000014
【図１１】
2007184217.tif 000015
【図１４】
2007184217.tif 000016